(57)【要約】【課題】ヒューズ動作時に溶断表示機構の表示板，付勢スプリングがヒューズリンクから離脱して外方に飛び出さないようにその組立支持構造を改良する。【解決手段】ヒューズ筒１の両端に被着したキャップの間にヒューズエレメント４を布設するとともに、片方のキャップ２にばね駆動式の溶断表示機構を付設して他方のキャップとの間に表示線５を張架した溶断表示機能付き筒形ヒューズで、前記溶断表示機構の表示板６，および該表示板６を背後から押圧する圧縮コイルばねの付勢スプリング７をキャップ２の端面中央に形成した凹部２ａに嵌入した上で、表示板６と他方のキャップとの間に表示線５を張架したものにおいて、前記付勢スプリング７の両端をキャップ２，表示板６に掛け止めするものとし、具体的には付勢スプリング７の両端を、キャップ２の凹部内周面に突き出し形成した係合突起２ｂと表示板６の背部に形成した係合突起６ａとの間に跨がって掛け止め支持する。【選択図】図１
2012129157.tif 000002
【特許請求の範囲】
【請求項１】
ヒューズ筒の両端に被着したキャップの間にヒューズエレメントを布設するとともに、片方のキャップにばね駆動式の溶断表示機構を付設して他方のキャップとの間に表示線を張架した溶断表示機能付き筒形ヒューズであって、前記溶断表示機構の表示板，および該表示板を背後から押圧する圧縮コイルばねの付勢スプリングをキャップの端面中央に形成した凹部に嵌入した上で、表示板と他方のキャップとの間に表示線を張架したものにおいて、前記付勢スプリングの両端をキャップ，表示板に掛け止めしたことを特徴とする溶断表示機能付き筒形ヒューズ。
【請求項２】
請求項１に記載の溶断表示機能付き筒形ヒューズにおいて、付勢スプリングの両端を、キャップの凹部内周面に突き出し形成した係合突起と表示板の背部に形成した係合突起との間に跨がって掛け止め支持したことを特徴とする溶断表示機能付き筒形ヒューズ。
【発明の詳細な説明】
【技術分野】
【０００１】
本発明は、ヒューズリンクに溶断表示機構を付設した溶断表示機能付き筒形ヒューズに関する。
【背景技術】
【０００２】
頭記の溶断表示機能付き筒形ヒューズは、ヒューズ筒の両端に被着したキャップの間にヒューズエレメントを布設するとともに、片方のキャップにはばね駆動式の溶断表示機構を付設し、該表示機構と他方のキャップとの間に表示線を張架した構成になり（例えば、特許文献１参照）、次に従来製品の組立構造を図２，図３に示す。
【０００３】
各図において、１は絶縁物製のヒューズ筒、２，３はヒューズ筒１の両端に被着した端子兼用の金属キャップ、４はキャップ３と４の間に張架したヒューズエレメント、５は表示線、６は溶断表示機構の表示板（表面に着色を施したアルミ製の円盤）、７は表示板６を背後から押圧する付勢スプリング（圧縮コイルばね）である。ここで、前記キャップ３の端面中央には窪み状の凹部２ａが形成されており、この凹部２ａに前記付勢スプリング７を介して表示板６を押込み嵌入した上で、表示線５がキャップ２の底面に穿孔した貫通穴２ｂａを通して表示板５と他方のキャップ３との間にろう付け，あるいはカシメ止めして張架されている。なお、ヒューズの仕様によっては、ヒューズ筒１の内部に消弧砂が充填されている。
【０００４】
上記構成で、配電路に過電流が流れてヒューズが動作（ヒューズエレメントが溶断）すると、表示線５が溶断して表示板６は付勢スプリング７のばね力を受けて図３の破線で表すようにキャップ２の凹部２ａから前方に飛び出してヒューズの動作状態を表示する。
【０００５】
なお、この溶断表示機能付き筒形ヒューズは、溶断表示窓を備えた専用のホルダーと組合せて使用する栓形ヒューズ，表示形ヒューズなどのほか、ヒューズリンクをそのまま単純なクリップ形のホルダー（不図示）に嵌着して配電路に接続するような使い方も広く採用されている。
【先行技術文献】
【特許文献】
【０００６】
【特許文献１】特開２０１０−１６５５０４号公報（図１）
【発明の概要】
【発明が解決しようとする課題】
【０００７】
ところで、前記した溶断表示機能付き筒形ヒューズをクリップ形のホルダーに装着し、他の機器と並置して盤内に配置した使用形態では次記のようなトラブルを生じるおそれがある。すなわち、図３で述べたようにヒューズの動作時に表示板６，付勢スプリング７がキャップ２の凹部２ａから抜け出て前方に飛び出すと、金属部品である表示板６，スプリング７がヒューズの近傍に配置した盤内の機器，ブスバーなどの上に落下し、思わぬ配電路の短絡事故を引き起こす危険に曝されることがある。
【０００８】
本発明は上記の点に鑑みなされたものであり、ヒューズ動作時に溶断表示機構の表示板，付勢スプリングがヒューズリンクから離脱して外方に飛び出さないようにその組立支持構造を改良した溶断表示機能付き筒形ヒューズを提供することを目的とする。
【課題を解決するための手段】
【０００９】
上記目的を達成するために、本発明によれば、ヒューズ筒の両端に被着したキャップの間にヒューズエレメントを布設するとともに、片方のキャップにばね駆動式の溶断表示機構を付設して他方のキャップとの間に表示線を張架した溶断表示機能付き筒形ヒューズであって、前記溶断表示機構の表示板，および該表示板を背後から押圧する圧縮コイルばねの付勢スプリングをキャップの端面中央に形成した凹部に嵌入した上で、表示板と他方のキャップとの間に表示線を張架したものにおいて、前記付勢スプリングの両端をキャップ，表示板に掛け止めするものとし（請求項１）、その具体的な態様として付勢スプリングの両端を、前記キャップの凹部内周面に突き出し形成した係合突起と表示板の背部に形成した係合突起との間に跨がって掛け止め支持する（請求項２）。
【発明の効果】
【００１０】
上記構成によれば、ヒューズの動作時にスプリングの付勢を受けてキャップの凹部から前方に抜け出た表示板は、ヒューズリンクから外方に離脱して自由に落下することがなく、付勢スプリングを介してヒューズリンクに繋がった状態に保持される。これにより、従来構造で問題視されていた表示板，付勢スプリングの飛び出し落下に起因するトラブルを回避して安全性を高めることができる。
【図面の簡単な説明】
【００１１】
【図１】本発明の実施例による筒形ヒューズの要部構造を表す断面図である。
【図２】溶断表示機能付き筒形ヒューズの従来構造を表す図であって、（ａ）は側視断面図、（ｂ）は（ａ）左端面図である。
【図３】図２における要部構造の拡大断面図である。
【発明を実施するための形態】
【００１２】
以下、本発明の実施の形態を図１に示す実施例に基づいて説明する。なお、実施例の図中で図３に対応する部材には同じ符号を付してその説明は省略する。
すなわち、ヒューズ筒１の端部に被着したキャップ２の凹部２ａに嵌入した表示板６，付勢スプリング７について、図示実施例の組立構造では付勢スプリング７の両端が、表示板６，およびキャップ２の凹部２ａに対して掛け止め支持されている。
【００１３】
そのために、表示板６にはその背部に鍔状に張り出した係合突起６ａが形成され、キャップ２にはその凹部２ａの周面から内方に突き出す係合突起２ｃが周上の複数箇所に形成されている。なお、係合突起２ｂ，６ａはプレス加工によって形成される。
【００１４】
そして、ヒューズリンクに溶断表示機構を組み付ける組立工程では、キャップ２の凹部２ａに嵌入した付勢スプリング（圧縮コイルばね）７の後端を前記係合突起２ｂに掛け止めし、次いで付勢スプリング７の前端に表示板６の係合突起６ａをねじ込み式に掛け止めする。次に表示板６を凹部２ａに押し込んで付勢スプリング７を圧縮した状態で、あらかじめ凹部２ａの後端面に穿孔した貫通穴２ｂを通して前方に引き出しておいた表示線５の先端を表示板６にろう付け，ないしかしメ止めして固着する。
【００１５】
上記の組立構造によれば、ヒューズの動作時（表示線５が溶断）に付勢スプリング７のばね付勢を受けて表示板６がキャップ２の凹部２ａから前方に抜け出た状態になっても、表示板６はその背部に掛け止めした付勢スプリング７を介してキャップ２の凹部２ａに繋がれているので、そのままヒューズリングから外方に飛び出して離脱，落下することなしに、溶断表示位置に突出し保持される。
【００１６】
これにより、図３で述べたように従来構造で問題視されていた表示板６，付勢スプリング７の飛び出し落下に起因して不測に発生する配電路の短絡事故を回避して安全性を高めることができる。
【符号の説明】
【００１７】
１    ヒューズ筒
２，３  キャップ
２ａ  凹部
２ｂ  係合突起
４    ヒューズエレメント
５    表示線
６    表示板
６ａ  係合突起
７    付勢スプリング
【図１】
2012129157.tif 000003
【図２】
2012129157.tif 000004
【図３】
2012129157.tif 000005